(57)【要約】      （修正有）【課題】加熱調理後のカバー体の取出し作業を、ミトンを汚すことなく行うことができる加熱調理容器を提供する。【解決手段】加熱調理容器１は、容器本体１１と、容器本体を上方より覆って被調理物を収納する内部空間１２を形成可能としたカバー体１３と、カバー体を容器本体から取外し可能とした、付属品としてのカバー体掴み具１４とを備え、カバー体には、上下方向に貫通する複数の導熱孔１５が所定間隔で形成され、カバー体掴み具は、回動支持部１４１と、基端部１４２１、先端部１４２２及び基端部と先端部の間に位置する握り部１４２３を有し、基端部において回動支持部に回動自在に支持され、握り部により開閉操作可能とされた２つのアーム１４２とを備える。【選択図】図１
2019097643.tif 000002
【特許請求の範囲】
【請求項１】
グリル庫の奥行き方向、幅方向、高さ方向を、夫々、前後方向、左右方向、上下方向とし、グリル庫に前後方向に出入れ自在に設けられた引出部に取付け及び取外し可能に設けられる加熱調理容器であって、
容器本体と、この容器本体を上方より覆って被調理物を収納する内部空間を形成可能としたカバー体と、このカバー体を容器本体から取外し可能とした、付属品としてのカバー体掴み具とを備え、
カバー体には、上下方向に貫通する複数の導熱孔が所定間隔で形成され、
カバー体掴み具は、回動支持部と、基端部、先端部及び基端部と先端部の間に位置する握り部を有し、基端部において回動支持部に回動自在に支持され、握り部により開閉操作可能とされた２つのアームとを備え、各アームは、カバー体掴み具が閉じる方向に突出したフック部を先端部に有し、このフック部は、カバー体の１つの導熱孔を通じて内部空間に挿入可能であり、且つ挿入される導熱孔付近のカバー体の裏面に係合可能である
ことを特徴とする加熱調理容器。
【請求項２】
各アームは、握り部と先端部の間に凸部を有し、凸部は、フック部と同方向に突出し、カバー体の表面に係合可能であることを特徴とする請求項１に記載の加熱調理容器。
【請求項３】
複数の導熱孔はカバー体の前後方向に所定間隔で形成され、２つのアームの内、後方のアームのフック部が、カバー体の重心位置よりも前側に位置する前端縁を有する１つの導熱孔を通じて内部空間に挿入され、前方のアームのフック部が、後方のアームのフック部が挿入された導熱孔よりもカバー体前側に位置する１つの導熱孔を通じて内部空間に挿入され、後方のアームのフック部が、挿入された導熱孔付近のカバー体の裏面と係合し、前方のアームの凸部が、当該前方のアームのフック部が挿入された導熱孔付近のカバー体の表面と係合して、カバー体掴み具は、カバー体を前上がりの傾斜姿勢で把持可能であることを特徴とする請求項２に記載の加熱調理容器。
【請求項４】
２つのアームの凸部が左右に重合し、重合状態においてカバー体掴み具は全閉状態を保持可能であることを特徴とする請求項２又は３に記載の加熱調理容器。
【請求項５】
２つのアームのフック部が上下に重合し、重合状態においてカバー体掴み具は全閉状態を保持可能であることを特徴とする請求項１から４のいずれか１項に記載の加熱調理容器。
【発明の詳細な説明】
【技術分野】
【０００１】
本発明は、グリル庫に出入れ自在に設けられた引出部に取付け及び取外し可能に設けられる加熱調理容器に関する。
【背景技術】
【０００２】
従来、この種の加熱調理容器として、容器本体と、この容器本体との間に被調理物を収納する内部空間を形成可能としたカバー体とを備え、容器本体の内底面上に載置された被調理物から加熱調理中に出る脂や水分がグリル庫に飛散するのを抑制するものが知られている（例えば、特許文献１参照）。
【０００３】
また、上記加熱調理容器では、加熱調理時に内部空間に輻射熱や熱気等を導入し、被調理物を直接的且つ均一に加熱する複数の導熱孔をカバー体に形成している。
【０００４】
加熱調理後、調理物を取り出す際には、加熱調理容器を載せた引出部をグリル庫から引き出した状態で、調理者等がミトンをはめた手指をカバー体に設けられた取手に掛け、取り外し、調理物を容器本体から取り出す。しかしながら、調理物の取出しの際、カバー体に付着した脂や水分によってミトンが汚れることがしばしばある。
【先行技術文献】
【特許文献】
【０００５】
【特許文献１】特開２０１４−２１２８４０号公報
【発明の概要】
【発明が解決しようとする課題】
【０００６】
本発明は、以上の点に鑑み、加熱調理後のカバー体の取出し作業を、ミトンを汚すことなく行うことができる加熱調理容器を提供することをその課題としている。
【課題を解決するための手段】
【０００７】
上記課題を解決するために、本発明は、グリル庫の奥行き方向、幅方向、高さ方向を、夫々、前後方向、左右方向、上下方向とし、グリル庫に前後方向に出入れ自在に設けられた引出部に取付け及び取外し可能に設けられる加熱調理容器であって、容器本体と、この容器本体を上方より覆って被調理物を収納する内部空間を形成可能としたカバー体と、このカバー体を容器本体から取外し可能とした、付属品としてのカバー体掴み具とを備え、カバー体には、上下方向に貫通する複数の導熱孔が所定間隔で形成され、カバー体掴み具は、回動支持部と、基端部、先端部及び基端部と先端部の間に位置する握り部を有し、基端部において回動支持部に回動自在に支持され、握り部により開閉操作可能とされた２つのアームとを備え、各アームは、カバー体掴み具が閉じる方向に突出したフック部を先端部に有し、このフック部は、カバー体の１つの導熱孔を通じて内部空間に挿入可能であり、且つ挿入される導熱孔付近のカバー体の裏面に係合可能であることを特徴とする。
【０００８】
尚、上記「付属品」は、製品に同梱して出荷されるものだけでなく、オプション品として製品に同梱せずに出荷されるものも含む用語である。また、上記「所定間隔」とは、文字通り定められた間隔を意味し、この「所定間隔」には、等間隔又は等間隔ではない間隔を含む。等間隔ではない間隔には、長短が規則的あるいは不規則的に組み合わされた、又は全て異なる間隔が含まれる。
【０００９】
本発明によれば、カバー体掴み具によってカバー体を把持することができるので、加熱調理後のカバー体の取出し作業を、ミトンを汚すことなく、場合によってはミトンを使用することなく行うことができる。
【００１０】
また、本発明においては、各アームは、握り部と先端部の間に凸部を有し、凸部は、フック部と同方向に突出し、カバー体の表面に係合可能であることが望ましい。
【００１１】
この場合、アームのフック部を加熱調理容器の内部空間に挿入する際、カバー体表面にアームの凸部が当接する。このため、カバー体掴み具を使用する調理者等がカバー体表面に触れて火傷するのを回避することができる。
【００１２】
また、本発明においては、複数の導熱孔はカバー体の前後方向に所定間隔で形成され、２つのアームの内、後方のアームのフック部が、カバー体の重心位置よりも前側に位置する前端縁を有する１つの導熱孔を通じて内部空間に挿入され、前方のアームのフック部が、後方のアームのフック部が挿入された導熱孔よりもカバー体前側に位置する１つの導熱孔を通じて内部空間に挿入され、後方のアームのフック部が、挿入された導熱孔付近のカバー体の裏面と係合し、前方のアームの凸部が、当該前方のアームのフック部が挿入された導熱孔付近のカバー体の表面と係合して、カバー体掴み具は、カバー体を前上がりの傾斜姿勢で把持可能であることが望ましい。
【００１３】
この場合、前方のアームの凸部がストッパーとして機能するため、カバー体を所定角度前上がりに傾斜した状態に保持することができ、さらに、後方のアームのフック部の係合によって、カバー体がずり落ちるのを抑制することができる。従って、カバー体が前上がりの傾斜姿勢になっても、カバー体掴み具はカバー体を安定して把持することができる。また、コンロの天板前端部やシステムキッチンのワークトップの前端部や、引出部のグリル扉上端部がカバー体の取外しの障害物になる場合でも、カバー体を前上がり傾斜姿勢で把持して斜め前方に引き上げることで、それらの障害物に接触させることなく、カバー体を取り外すことができる。
【００１４】
また、本発明においては、２つのアームの凸部が左右に重合し、重合状態においてカバー体掴み具は全閉状態を保持可能であるか、２つのアームのフック部が上下に重合し、重合状態においてカバー体掴み具は全閉状態を保持可能であることが望ましい。この場合、カバー体掴み具は、非使用時にコンパクトな状態にすることができる。従って、仕舞い置きに便利になる。
【図面の簡単な説明】
【００１５】
【図１】本発明の加熱調理容器の一実施形態を引出部と共に示したグリル庫周辺の要部斜視図。
【図２】図１に示したカバー体掴み具を拡大して示した斜視図。
【図３】図２に示したカバー体掴み具によるカバー体の把持状態の一例を引出部と共に示したグリル庫周辺の断面図。
【図４】図２に示したカバー体掴み具の非使用時の状態を示した斜視図。
【図５】図２に示したカバー体掴み具によるカバー体の把持状態の他の例を示した斜視図。
【発明を実施するための形態】
【００１６】
図１から図３に示したように、コンロＡでは、幅方向の中央部に前方に開放するグリル庫Ｂが設けられている。加熱調理容器１は、グリル庫Ｂの奥行き方向、幅方向、高さ方向を、夫々、前後方向、左右方向、上下方向とし、グリル庫Ｂに前後方向に出入れ自在に設けられた引出部２に取付け及び取外し可能に設けられる。尚、コンロＡについては、ガスコンロ、電気コンロ及びＩＨコンロが例示され、いずれのコンロであってもよい。
【００１７】
加熱調理容器１は、容器本体１１と、容器本体１１を上方より覆って被調理物を収納する内部空間１２を形成可能としたカバー体１３と、カバー体１３を容器本体１１から取外し可能とした、付属品としてのカバー体掴み具１４とを備えている。カバー体１３には、上下方向に貫通し、左右方向に長尺である複数の導熱孔１５が、前後方向に所定間隔で形成されている。尚、「付属品」及び「所定間隔」については、前述の通りである。
【００１８】
カバー体掴み具１４は、回動支持部１４１と、基端部１４２１、先端部１４２２及び基端部１４２１と先端部１４２２の間に位置する握り部１４２３を有し、基端部１４２１において回動支持部１４１に回動自在に支持され、握り部１４２３により開閉操作可能とされた２つのアーム１４２とを備えている。各アーム１４２は、カバー体掴み具１４が閉じる方向に突出したフック部１４３を先端部１４２２に有し、フック部１４３は、カバー体１３の１つの導熱孔１５を通じて内部空間１２に挿入可能であり、且つ挿入される導熱孔１５付近のカバー体１３の裏面に係合可能である。
【００１９】
具体的には、図１及び図３に示したように、引出部２は、グリル庫Ｂの開口前端を閉鎖するグリル扉２１と、グリル扉２１の裏面の左右両側の下端部から後方に延びるレール２２と、グリル扉２１の裏面下部に連結され、後方に延びる皿受枠２３と、皿受枠２３に支持されたグリル皿２４とを備えている。グリル扉２１の前面下部には引出部２の出入れを操作する取手２１ａが設けられている。レール２２は、グリル庫Ｂの左右両側下部に配置された固定レール（図示なし）に前後方向に移動自在に支持されている。皿受枠２３の前後には支持枠２５が立設され、支持枠２５には容器本体取付枠２６が設けられている。容器本体１１は容器本体取付枠２６に支持されている。尚、支持枠２５には、加熱調理容器１に替えて図示省略した焼網も支持可能である。また、容器本体１１は直接支持枠２５に支持させることもできる。
【００２０】
容器本体１１は、例えばトレイ状等の形状を有するものとすることができ、その内底面には、上向きに突出し、左右方向に延びる凸部１１１が前後方向に一定間隔で突設されている。また、容器本体１１の内底面の外周には被調理物から調理時に流出する脂等を受ける受け部１１２が設けられ、受け部１１２の外縁に外周壁部１１３が立設されている。外周壁部１１３は、脂等の下方への垂れを抑制する。
【００２１】
カバー体１３は、容器本体１１の内底面と対向配置可能な上板部１３１と、上板部１３１の外周からなだらかに下る周壁部１３２と、周壁部１３２の外周から外側に延びるフランジ部１３３と、フランジ部１３３の外周に立設された外周縁部１３４とを備えている。容器本体１１とカバー体１３の形状及び大きさは、カバー体１３の外周縁部１３４が容器本体１１の外周壁部１１３の内側に配置されてカバー体１３が容器本体１１を上方より蓋することができるものとされている。そして、カバー体１３の上板部１３１及び周壁部１３２によって、カバー体１３が容器本体１１を上方より覆ったときに容器本体１１とカバー体１３の間に内部空間１２が形成され、容器本体１１の内底面上に載置された被調理物が内部空間１２に収納可能となる。
【００２２】
また、カバー体１３の上板部１３１には、上下に貫通し、左右方向に延びる長尺な導熱孔１５が５つ形成されている。５つの内の１つの導熱孔１５１は、その長手方向に直交する短手方向の中心がカバー体１３の重心の前後方向位置に合致するように配置されている。従って、導熱孔１５１の前端縁１５１ａは、カバー体１３の重心位置よりも前側に位置している。他の４つの導熱孔１５は、導熱孔１５１を挟んで前後対称な位置に配置されている。
【００２３】
図２に示したように、カバー体掴み具１４の回動支持部１４１は、半円筒状の手掛かり部１４１１と矩形箱状の支持部本体１４１２とを備えている。手掛かり部１４１１は、カバー体掴み具１４を調理者等が手に持つ時に周面１４１１ａに掌が接触する部位であり、手持ち感を良好とする。手掛かり部１４１１の開放側に支持部本体１４１２の開放側が連結されている。支持部本体１４１２の長手方向に対向する２つの端片１４１２ａには、支持部本体１４１２の長手方向に貫通する円形状の軸孔１４１３が２つ形成され、各軸孔１４１３は、支持部本体１４１２の短手方向に並置されている。このような回動支持部１４１は、例えば板金製とすることができ、この場合、手掛かり部１４１１及び支持部本体１４１２は一体に形成することができる。
【００２４】
各アーム１４２は、基端部１４２１と握り部１４２３を有する第１部材３１と、先端部１４２２を有する第２部材３２との２部材から形成されている。
【００２５】
第１部材３１は、耐熱性を有する金属、樹脂又はそれらの複合材等の線材を曲折して形成されている。線材は、剛性と弾性を共に有している。第１部材３１の形状は、４つのコーナー部を有するＣ字形の開ループ状とされている。即ち、各アーム１４２は２つの基端部１４２１を有し、２つの基端部１４２１は互いに対向して曲折されている。そして、基端部１４２１は、支持部本体１２の軸孔１４１３の中に挿入され、その結果、各アーム１４２は、回動支持部１４１に、図中に示した矢印方向に回動自在に支持されており、且つ握り部１４２３により開閉操作可能となっている。
【００２６】
第２部材３２は、第１部材３１と同様に、耐熱性を有する金属、樹脂又はそれらの複合材等の線材と同様なものを曲折して形成されているが、閉ループ状の形状を有している。第２部材３２は、先端部１４２２と反対側に位置する部分において第１部材３１の握り部１４２３に重合して連結されている。連結部３２１は、２つのアーム１４２が閉じる方向の内側に位置し、連結部３２１における線材同士の連結は、線材の材質に応じて溶接、溶着、接着等の適宜な方式を採用することができる。
【００２７】
また、第２部材３２の先端部１４２２が有するフック部１４３の形状はＵ字状とされ、カバー体掴み具１４が閉じる方向に突出している。前述の通り、フック部１４３は、図１及び図３に示したカバー体１３の１つの導熱孔１５を通じて内部空間１２に挿入可能であり、且つ挿入される導熱孔１５付近のカバー体１３の裏面に係合可能である。
【００２８】
さらに、第２部材３２では、先端部１４２２と第１部材３１が有する握り部１４２３との間に凸部３２２が設けられ、凸部３２２は、フック部１４３と同方向に突出している。凸部３２２は、第２部材３２において、回動支持部１４１の支持部本体１４１２の長手方向に相当する左右方向の２カ所で、線材の曲折により形成されている。２つの凸部３２２は共に同形であり、Ｌ字状の形状を有している。いずれの凸部３２２も、図１及び図３に示したカバー体１３の表面に係合可能である。
【００２９】
尚、凸部３２２は、第２部材３２を形成する線材の曲折によりアーム１４２と一体に形成するのではなく、別体として形成し、アーム１４２に固定することも可能である。例えば、第２部材３２を全て板金製とすることが例示される。この場合、握り部１４２３に対応する部位に開口を設け、調理者等が、その開口に手指を入れて開き操作等をしやすいようにすることが望ましい。
【００３０】
このようなカバー体掴み具１４は、高温状態にあるカバー体１３を把持して容器本体１１からの取外しを可能とするものであり、加熱調理容器１の付属品である。非使用時には、図４に示したように、各アーム１４２を握り部１４２３によって図中に示した矢印方向、即ち、カバー体掴み具１４が閉じる方向に回動させると、２つのアーム１４２が重合し、重合状態においてカバー体掴み具１４は全閉状態を保持可能となる。２つのアーム１４２の重合状態としては、例えば以下の３つの状態を例示することができる。
【００３１】
１つ目の状態は、２つのアーム１４２の凸部３２２が左右に重合する状態である。２つ目の状態は、２つのアーム１４２のフック部１４３が上下に重合する状態である。３つ目の状態は、上記１つ目の状態と上記２つ目の状態の両方である。このような２つのアーム１４２の重合は、前述の通り、第２部材３２を形成する線材が弾性を有していることから、例えば、その弾性変形を利用することができる。また、カバー体掴み具１４の全閉状態の保持は、そのような弾性変形を伴わなくても可能である。例えば、回動支持部１４１や両アーム１４２の適所に両アーム１４２の開き方向への回動を制限するストッパー等を付設する等が例示される。全閉状態のカバー体掴み具１４は、例えば、システムキッチンにおけるキャビネットの、引出し等の適宜な収納部位に保管することができる。
【００３２】
尚、２つのアーム１４２の弾性変形を利用した重合は、上記形態に限定されることはなく、例えば、一方のアーム１４２の内側に他方のアーム１４２が入り込むことによっても実現可能である。また、図４に示したように、２つのアーム１４２には、弾性変形による歪みが発生するため、その歪みを吸収することによって回動支持部１４１が水平位置よりも前後に傾斜することがあるが、この傾斜は、カバー体掴み具１４が損傷等するのを効果的に抑制する。
【００３３】
カバー体掴み具１４による、高温状態にあるカバー体１３の把持及び容器本体１１からのカバー体１３の取外しは、一般には、図１及び図３に示したように行うことができる。
【００３４】
まず、調理後に調理者等は引出部２をグリル庫Ｂから前方に引き出す。この時の引出し代は、引出限界までとすることができるが、一般には、カバー体１３がグリル庫Ｂの外側まで出るまでとすることができる。
【００３５】
次いで、調理者等は、図４に示した全閉状態にあるカバー体掴み具１４を２つのアーム１４２の重合を解除し、回動支持部１４１の軸孔１４１３を回動の中心として開き方向に２つのアーム１４２を回動させ、ある程度開き状態にする。この開き状態において、図１及び図３に示したように、後方のアーム１４２の先端部１４２２を、カバー体１３の上板部１３１に形成された導熱孔１５１から加熱調理容器１の内部空間１２に挿入する。次いで、前方のアーム１４２の先端部１４２２を、導熱孔１５１よりも前側に位置する１つの導熱孔１５、具体的には、導熱孔１５よりも２つ前側の導熱孔１５から内部空間１２に挿入する。１つ前側の導熱孔１５から内部空間１２に前方のアーム１４２の先端部１４２２を挿入することもできるが、導熱孔１５１との間の距離が短い場合にはカバー体１３を安定に把持することができなかったり、各アーム１４２のフック部１４３同士が接触して把持不良となったりすることもある。従って、前方のアーム１４２を挿入する導熱孔１５は、導熱孔１５１との間の間隔を考慮して適宜選択する。
【００３６】
尚、導熱孔１５の個数が２つであり、各導熱孔１５に各アーム１４２のフック部１４３を挿入してカバー体１３を把持して容器本体１１から取り外すことができる場合には、そのような選択は必要ない。同様に、３つ以上の導熱孔１５が形成されていても、カバー体１３を把持して容器本体１１から取り外すことができるように、２つのアーム１４２のフック部１４３を挿入すべき導熱孔１５が予め定められている場合にも上記選択の必要はない。また、握り部１４２３の下端、即ち、第１部材３１の下端は、各アーム１４２の先端部１４２２を挿入した時、グリル扉２１の上端及びグリル庫Ｂの開口前端よりも前方に位置するのが好ましい。こうすることによって、調理者等がカバー体掴み具１４を使って各アーム１４２の先端部１４２２を導熱孔１５から内部空間１２に挿入する時に、調理者等の手が高温状態にあるグリル扉２１の上端及びグリル庫Ｂの開口前端に触れるのを抑制することができ、火傷の危険性を回避することができる。
【００３７】
前述の通り、両アーム１４２の先端部１４２２を導熱孔１５から内部空間１２に挿入した後には調理者等は、カバー体掴み具１４を少し真っすぐ引き上げる。すると、導熱孔１５１の前端縁１５１ａに後方のアーム１４２のフック部１４３の後端が上板部１３１の裏面側から接触する。前端縁１５１ａは、前述の通り、カバー体１３の重心位置よりも前側に位置しているため、カバー掴み具１４を引き上げるにつれ、カバー体１３は、次第に後方のアーム１４２のフック部１４３の後端を中心として前上がりに傾動する。そして、導熱孔１５１よりも前側に位置する導熱孔１５を通じて下端部１４２２を内部空間１２に挿入した前方のアーム１４２の２つの凸部３２２が、導熱孔１５付近の上板部１３１の表面と接触する。こうして、カバー体１３は前上がりの傾斜姿勢でカバー体掴み具１４に安定に把持される。従って、カバー体掴み具１４を使ってカバー体１３を取り外す調理者等は、コンロＡの天板前端部やシステムキッチンのワークトップＣの前端部や、引出部２のグリル扉２１の上端部がカバー体１３の取外しの邪魔になる場合には、カバー体１３を斜め前方に引き上げることでそれらの障害物に接触させることなく、カバー体１３を取り外すことができる。また、それらの前端部がカバー体１３の取外しに特に支障がない場合には、真っすぐ引き上げてカバー体１３を取り外すこともできる。カバー体１３の取外し後、容器本体１１の内底面に載置された調理物を取り出すことができる。
【００３８】
このように、加熱調理容器１では、カバー体掴み具１４によって調理後の高温状態にあるカバー体１３を把持することができるので、調理者等は、加熱調理後のカバー体１３の取出し作業を、ミトンを汚すことなく、場合によってはミトンを使用せずに行うことができる。また、アーム１４２のフック部１４３を加熱調理容器１の内部空間１２に挿入する際、カバー体１３の表面にアーム１４２の凸部３２２が当接する。このため、カバー体掴み具１４を使用する調理者等がカバー体１３の表面に触れて火傷するのを回避することができる。さらに、前方のアーム１４２の凸部３２２がストッパーとして機能するため、カバー体１３を所定角度前上がりに傾斜した状態に保持することができ、さらに、後方のアーム１４２のフック部１４３の係合によって、カバー体１３がずり落ちるのを抑制することができる。従って、カバー体１３が前上がりの傾斜姿勢になっても、カバー体掴み具１４はカバー体１３を安定して把持することができる。そして、カバー体掴み具１４で把持したままカバー体１３を裏面側が上を向く上下反転姿勢で適宜な場所に置くこともできる。
【００３９】
尚、フック部１４３及びその付近のアーム１４２、また、フック部１４３から凸部３２２にかけての部分のアーム１４２には、止滑材を施工し、カバー体１３とのより安定な係合を図ることができる。
【００４０】
また、図４に示したように、２つのアーム１４２は、凸部３２２、フック部１４３又はその両方において重合し、重合状態においてカバー体掴み具１４は全閉状態を保持可能であるので、カバー体掴み具１４は非使用時にはコンパクトな状態にすることができる。従って、仕舞い置きに便利になる。
【００４１】
さらに、カバー体掴み具１４は、図５に示したように、カバー体１３を水平に把持可能でもある。各アーム１４２の下端部１４２２を内部空間１２に挿入する導熱孔１５は、異なる１つとすることができるので、カバー体１３の前後の重量バランスが取ることができるような導熱孔１５を選択することによって、カバー体１３の水平把持は可能である。例えば、重心位置がある導熱孔１５１の前後両側の対称置にある２つの導熱孔１５を選択し、これらの導熱孔１５を通じてアーム１４２の先端部１４２２を内部空間１２に挿入し、カバー体掴み具１４を引き上げることによって、各フック部１４３が挿入された導熱孔１５付近の裏面に係合する。従って、カバー体掴み具１４は、図１及び図３に示した引出部２に取り付けられた加熱調理容器１の引出位置に応じてカバー体１３の把持の仕方を適宜変更することができる。また、加熱調理容器１は、グリルだけでなくコンロＡ上での加熱調理にも使用可能となり、カバー体掴み具１４は、高温状態にあるカバー体１３を安定に把持して取り外すことができる。この場合にも、カバー体掴み具１４で把持したままカバー体１３を適宜な場所に置くこともできる。
【００４２】
以上、本発明の実施形態を図面を参照して説明したが、本発明は以上の実施形態に限定されるものではない。容器本体及びカバー体の大きさ及び形状、導熱孔の数及び間隔、また、カバー体掴み具の構造等については種々の態様が可能である。
【００４３】
例えば、導熱孔については、左右方向に長尺で前後方向に所定間隔で形成されたものに限られず、前後方向に長尺で左右方向に所定間隔で形成されたものをはじめ、斜め方向に所定間隔で形成され、長さの異なるものや、波形のものが前後方向に所定間隔で形成されたもの、Ｌ字形のものの２つを反転させて１組とし、この１組が前後左右に複数配列されたもの、また、左右方向に延び、異なる長さのものが前後に所定間隔で千鳥状に配列されたもの等も例示される。いずれの形状や配列の導熱孔であっても、一方あるいは両方のアーム１４２のフック部１４３が裏面係合可能となり、又は一方のアーム１４２のフック部１４３が裏面係合可能で且つ他方のアーム１４２の凸部３２２が表面係合可能となる導熱孔を選択することによって、カバー体掴み具１４による前上がり傾斜状態又は水平状態での安定なカバー体１３の把持が可能である。上記「所定間隔」についても前述の通りである。
【００４４】
また、カバー体掴み具については、回動支持部１４１は、支持部本体１４１２を必ずしも必要としない。この場合、例えば、アーム１４２を形成する第１部材３１において２つの基端部１４２１の構造を相違させ、一方の基端部１４２１を線材の曲折により軸孔を有するものとし、他方の基端部１４２１をその軸孔内に挿入し、２つのアーム１４２が回動支持部１４１に回動自在に支持されるようにすることができる。
【符号の説明】
【００４５】
１…加熱調理容器、１１…容器本体、１２…内部空間、１３…カバー体、１４…カバー体掴み具、１４１…回動支持部、１４２…アーム、１４２１…基端部、１４２２…先端部、１４２３…握り部、１４３…フック部、１５…導熱孔、１５１…導熱孔、１５１ａ…前端縁、２…引出部、３２２…凸部、Ｂ…グリル庫。
【図１】
2019097643.tif 000003
【図２】
2019097643.tif 000004
【図３】
2019097643.tif 000005
【図４】
2019097643.tif 000006
【図５】
2019097643.tif 000007